(57)【特許請求の範囲】
【請求項１】
被挟持物を第１および第２の挟持部材によって挟持することにより該被挟持物を保持するピンチ部材を備え、該ピンチ部材を支持する支持部材に対して、着脱可能に係合されるピンチユニットにおいて、前記ピンチユニットは、前記支持部材に対して、回動可能に係合される係合部を有し、前記第１の挟持部材を回動連結部によって回動可能に保持する硬質の中継保持材と、前記中継保持材および前記第２の挟持部材とをつなぎ、前記第２の挟持部材の前記回動連結部を支点とした回動運動を規制する可撓性規制部材と、を具備し、前記ピンチ部材を、前記回動連結部を支点とし前記第１の挟持部材側に回動運動させることにより、前記可撓性規制部材が前記第２挟持部材の回動動作を規制し、前記被挟持物が開放されることを特徴とするピンチユニット。
【請求項２】
前記回動連結部を支点とした前記第１の挟持部材側への回動運動は、前記支持部材での支持が前記中継保持材のみに働き、ピンチ部材が片持ち梁状になることにより生じるものである請求項１に記載のピンチユニット。
【請求項３】
前記中継保持材は、凸状の回動規制部を有しており、前記ピンチ部材の前記第１挟持部材側への回動運動時に該回動規制部が前記支持部材に接触することにより前記回動連結部を支点とした前記第１の挟持部材側への回動運動を可能とする請求項１に記載のピンチユニット。
【請求項４】
前記回動連結部の回動方向は、前記可撓性規制部材の延在する方向と交差する方向への回動が規制されている請求項１に記載のピンチユニット。
【請求項５】
前記可撓性規制部材の前記中継保持部への取り付け位置は、前記被挟持物の解放が可能な中継保持材の回動連結部近くに取り付けられる請求項１に記載のピンチユニット。
【請求項６】
被挟持物を第１および第２の挟持部材によって挟持することにより該被挟持物を保持するピンチ部材を備え、該ピンチ部材を支持する支持部材に対して、着脱可能に係合されるピンチユニットを複数取付けることができる物干し具において、前記ピンチユニットは、前記支持部材に対して、回動可能に係合される係合部を有し、前記第１の挟持部材を回動連結部によって回動可能に保持する硬質の中継保持材と、前記中継保持材および前記第２の挟持部材とをつなぎ、前記第２の挟持部材の前記回動連結部を支点とした回動運動を規制する可撓性規制部材と、を具備し、前記ピンチ部材を、前記回動連結部を支点とし前記第１の挟持部材側に回動運動させることにより、前記可撓性規制部材が前記第２挟持部材の回動動作を規制し、前記被挟持物が開放されることを特徴とする物干し具。
【発明の詳細な説明】
【技術分野】
【０００１】
本発明は支持部材に着脱可能に取付けることができるピンチユニット、特に洗濯物を乾燥させるべく該洗濯物を挟持するピンチユニットと、該ピンチユニットを複数備えた物干し具に関する。
【背景技術】
【０００２】
ピンチは、主に洗濯はさみとしてハンガーなどに取り付けられ、物干し具などに広く利用されている。
【０００３】
このようなピンチユニットを用いたハンガーでは、多数の洗濯物を同時に干すような場合、その取り込み時には、個々のピンチの先端を１つ１つ押さえることで洗濯物をリリースする必要があるが、ピンチの数が多数設けられているような場合は非常に手間がかかるものとなる。また、洗濯物を無理やり引っ張ることで取り込むことはできるものの、ピンチの破損や洗濯物の損傷の虞があって望ましくない 。
【０００４】
このようなことを鑑みて、洗濯物取り込み時の手間を改善する目的で、特開平８−２０６３９５号公報や特開２００１−１９０８９６号公報等では、ピンチの一対の挟み用個片の双方の力点に分担して洗濯物の荷重を担わせるようにすることで、洗濯物を干しているときの挟持力は強いが、取り外すときの挟持力が弱くなる構成が開示されている。
しかしながら、このような構成においても、特開２００１−１９０８９６号公報明細書中での記載（図７，８の説明）にもあるように重いものを吊り下げた場合には、その自重でピンチが解放してしまうおそれがある。
【０００５】
この先行技術の構成のような、洗濯物の吊り下げ方向と、洗濯物を介した引っ張り方向とがほぼ同方向になる構成のままでは、洗濯物を介した引っ張り動作に伴う挟持力の解放力の調整に関しては限界があるため、単に洗ピンチにばね力を強めることしかできず、この場合、洗濯物を介した引っ張り力とピンチ部材の挟持力との間にはトレードオフの関係が生じることとなり、先の問題は解消されることはない。  
【０００６】
この事に鑑み、本出願人は、特許第４９１１４９０号において、洗濯時の吊り下げ方向と、引っ張り方向を異ならせることに着目し、この違いによって、上記トレードオフの解消を図った構成を先に提案している。
【０００７】
ここで、仮に先行技術の構成において、洗濯物を介した引っ張り方向を異なる方向に変えたとしても、引っ張り方向に応じてピンチ自体が回転してしまうため、ピンチに働く力の向きは実質的に変わらないため、先のトレードオフは解消されない。
【０００８】
これに対して特許第４９１１４９０号の技術では、各ピンチ部材毎、それぞれ別の吊り下げ部材によって吊り下げることで、ピンチ部材のそれぞれに働く力（支持部材からの力の方向）を異ならせるようにしている。したがって、洗濯物を介した引っ張り方向を異なる方向に変えた際に、片側のピンチ部材の回動を規制し、ピンチに働く力の向きをずらすことができる。
【０００９】
さらに、この吊り下げ部材が、回動方向側のピンチ部材の回動動作よりも、もう一方のピンチ部材の回動動作が浅くなるよう制限することにより、ピンチ解放方向への力に変換せしめている。
【００１０】
なお、上述の吊り下げ部材はピンチ部材を横方向に引っ張れるよう屈曲させる必要があるため、その可動性を考慮して可撓性材料（樹脂や繊維集合体）を用いることを前提としていた。しかしながら、この吊り下げ部材に可撓性材料を用いていることが、「耐久性」と「取り付け作業性」という二つの機能に関して妨げとなっていた。
これについて、順に説明していく。
【００１１】
まず、「耐久性」であるが、前述の説明のようにこの構成における可撓性材料では、屈曲する箇所が一部に集中するとその部分が疲労劣化してしまう。
【００１２】
また、ハンガーやピンチ部材と接触している部分では、洗濯物の重さと引っ張り力による荷重がかかった状態で反復して摺動し、局部的に磨耗する。
ましてや、一般に用いられている可撓性部材として樹脂は、屋外での使用における紫外線等の耐候性はあまり優れたものでもない。
【００１３】
したがって、重量のある洗濯物を頻繁に干したり、取り込んだりするような長期使用においては、その耐久性が十分とは言えなかった。
【００１４】
次に、「取り付け作業性」であるが、前述の構成では、ハンガーへの固定（取り付け）は、可撓性部材の部分を持って行われることとなるが、取付時に可撓性部材が変形してしまい易く、固定方向が定まりにくくなる。しかも、この構成ではピンチ部材の片側を取り付けた後、もう一方を取り付けなくてはならなくなるため、ピンチ部材の動きが規制された状態での取り付け作業となり、作業の困難性は非常に高いものとなる。
【先行技術文献】
【特許文献】
【００１５】
【特許文献１】特開２００１−１９０８９６号公報
【特許文献２】特許第４９１１４９０号公報
【特許文献３】特開平８−２０６３９５号公報
【発明の概要】
【発明が解決しようとする課題】
【００１６】
本発明は以上のような従来の欠点に鑑み、本発明は、洗濯物の荷重のかかる吊り下げ部材に相当する部分で、可撓性材料を使わなくてもよい構成とするだけでなく、ピンチ部材に対する吊り下げ部材の数も減らすことができ、ピンチ部材と吊り下げ部材とを結合した取り付け作業性に優れたピンチユニットを提供することを目的としている。
【課題を解決するための手段】
【００１７】
上記目的を達成するために、本発明のピンチユニットは、被挟持物を第１および第２の挟持部材によって挟持することにより該被挟持物を保持するピンチ部材を備え、該ピンチ部材を支持する支持部材に対して、着脱可能に係合されるピンチユニットにおいて、前記ピンチユニットは、前記支持部材に対して、回動可能に係合される係合部を有し、前記第１の挟持部材を回動連結部によって回動可能に保持する硬質の中継保持材と、前記中継保持材および前記第２の挟持部材とをつなぎ、前記第２の挟持部材の前記回動連結部を支点とした回動運動を規制する可撓性規制部材と、を具備し、前記ピンチ部材を、前記回動連結部を支点とし前記第１の挟持部材側に回動運動させることにより、前記可撓性規制部材が前記第２挟持部材の回動動作を規制し、前記被挟持物が開放されることを特徴とする。
【００１８】
また、本発明の物干し具は、被挟持物を第１および第２の挟持部材によって挟持することにより該被挟持物を保持するピンチ部材を備え、該ピンチ部材を支持する支持部材に対して、着脱可能に係合されるピンチユニットを複数取付けることができる物干し具において、前記ピンチユニットは、前記支持部材に対して、回動可能に係合される係合部を有し、前記第１の挟持部材を回動連結部によって回動可能に保持する硬質の中継保持材と、前記中継保持材および前記第２の挟持部材とをつなぎ、前記第２の挟持部材の前記回動連結部を支点とした回動運動を規制する可撓性規制部材と、を具備し、前記ピンチ部材を、前記回動連結部を支点とし前記第１の挟持部材側に回動運動させることにより、前記可撓性規制部材が前記第２挟持部材の回動動作を規制し、前記被挟持物が開放されることを特徴とする。
【発明の効果】
【００１９】
以上の説明から明らかなように、本発明にあっては次に列挙する効果が得られる。
（１）請求項１及び請求項２に記載の各発明においては、硬質の中継保持材によりピンチユニットを吊り下げているため、可撓性規制部材には荷重がかからず、さらに被挟持物引っ張り動作中でも可撓性規制部材への摩擦摺動は生じない。  
したがって、ピンチユニットの耐久性を向上させることができる。
（２）支持部材に対して着脱可能に取付けることができるため、支持部材への取り付けやピンチユニットの交換を容易に行うことができる。
（３）請求項３に記載の発明においても前記（１）、（２）と同様な効果が得られるとともに、凸状の回動規制部側へピンチユニットを回動させることにより、被挟持物を容易に取り外すことができる。
（３）請求項４及び請求項５に記載の各発明においても前記（１）、（２）と同様な効果が得られる。
【図面の簡単な説明】
【００２０】
【図１】本発明を実施するための第１の形態のピンチユニットの正面図。
【図２】本発明を実施するための第１の形態の被挟持物を取り外す時のピンチ部材の動作説明図。
【図３】（ａ）従来のピンチの被挟持物を介した引張力を示す説明図。（ｂ）本発明の被挟持物を介した引張力を示す説明図。
【図４】本発明を実施するための第１の形態の可撓性規制部材の最適な取付位置を示す説明図（１）。
【図５】本発明を実施するための第１の形態の可撓性規制部材の最適な取付位置を示す説明図（２）。
【図６】本発明を実施するための第１の形態の洗濯物を取り外すために必要な荷重を示す説明図。
【図７】本発明を実施するための第２の形態のピンチユニットの正面図。
【図８】本発明を実施するための第２の形態の物干し具に取り付けた状態の正面図。
【図９】本発明を実施するための第２の形態の洗濯物を取り外す時のピンチ部材の動作説明図。
【図１０】本発明を実施するための第３の形態のピンチユニットの正面図。
【図１１】本発明を実施するための第３の形態の物干し具に取り付けた状態の正面図。
【図１２】本発明を実施するための第４の形態のピンチユニットの正面図。
【図１３】本発明を実施するための第４の形態の物干し具に取り付けた状態の正面図。
【発明を実施するための形態】
【００２１】
以下、図面に示す本発明を実施するための形態により、本発明を詳細に説明する。
【００２２】
図１ないし図５に示す本発明を実施するための第１の形態において、１はピンチユニットで、このピンチユニット１は、被挟持物２を第１の挟持部材３ａおよび第２の挟持部材３ｂによって挟持することにより該被挟持物Ｗを保持するピンチ部材３を備え、該ピンチ部材３を支持する支持部材４に対して、着脱可能に係合されるピンチユニットにおいて、前記ピンチユニット１は、前記支持部材４に対して、回動可能に係合される係合部５を有し、前記第１の挟持部材３ａを回動連結部６によって回動可能に保持する硬質の中継保持材７と、前記中継保持材７および前記第２の挟持部材３ｂとをつなぎ、前記第２の挟持部材３ｂの前記回動連結部６を支点とした回動運動を規制する可撓性規制部材８と、を具備し、前記ピンチ部材３を、前記回動連結部６を支点とし前記第１の挟持部材側３ａに回動運動させることにより、前記可撓性規制部材８が前記第２挟持部材３ｂの回動動作を規制し、前記被挟持物２が開放されることを特徴とする。
【００２３】
前記支持部材４には、中継保持材７の係合部５を係合するためのループ状の被係合部９が形成されている。この被係合部９に、一方、係合部５は、一部が開放された鉤状や、スナップフック状に形成されることで、被係合部９に対して着脱および回動可能な係合状態で係合されている。この係合状態によりピンチユニットの取り付け作業の容易性が確保されている。 
【００２４】
本実施例においては、ピンチユニットは、この係合部５を支点とした回動動作を行うと、前記支持部材に接触して回動が規制される。この時、支持部材での接触部、すなわち回動規制部が前記中継保持材のみに働くことで、ピンチ部材が片持ち梁状に保持されることとなる。これにより、更なる回動方向への力がピンチ部材に働いた際には、前記回動連結部を支点とした前記第１の挟持部材３ａ側への回動運動がなされる構造となっている。 
ピンチ部材３は、被挟持物２を挟持する挟持部１１やピンチ部材３の回動支点となるヒンジ部１２、ピンチ部材３に挟持力を付与するバネ材１３等は公知のピンチ部材と同様に構成されている。なお、第１の挟持部材３ａの先端は、回動連結部６を介して中継保持材７と接続されている。
【００２５】
なお、この回転連結部６は、本実施の形態においては、ピンチ部材３の第１の挟持部材３ａの上端部付近に形成された透孔に中継保持材７が回動可能に挿入されて形成しているが、ピンチ部材３の第１の挟持部材３ａの上端部にヒンジ機構等を形成し、中継保持材７を接続してもよい。
【００２６】
前記中継保持材７は、本実施形態においては、硬質で剛性を有する材料で帯状に形成されており、一端部には前記支持部材４の被係合部９と係合する係合部５が形成されており、他端部は回動連結部６を介して第１の挟持部材３ａに接続されている。
【００２７】
なお、中継保持材７の硬度や剛性としてはポリプロピレン樹脂程度の硬度や剛性があればよく、合成樹脂、セラミック、金属等の材質を用いてもよい。
【００２８】
また、中継保持材７の形状は、帯状に限定されるものではなく、丸棒状や断面矩形状であってもよく、どのような形状でも良いが、中継保持材７の回動連結部６の形状とピンチ部材３の連結孔形状については、回動連結部６の回動方向が可撓性規制部材８の延在する方向と交差する方向へ（図１においては奥手前方向）の回動を規制するように形成されている。例えば、本実施形態の中継保持材７の断面形状とピンチ部材３連結孔の形は矩形である。
【００２９】
前記可撓性規制部材８は、一端部が中継保持材７の回動連結部６近くに取付けられ（例えば、回動連結部６からピンチ部材長の１／２以内の位置）、他端部が前記ピンチ部材３の第２の挟持部材３ｂに取付けられている。なお可撓性規制部材８の一端部の最適な取り付け位置については後述する。
【００３０】
ここで、従来のピンチの解放に必要な力につい特許文献３（特開平８−２０６３９５号公報）に記載された発明（従来のピンチ）を例に説明する。
【００３１】
特開平８−２０６３９５号公報には、該先行技術の従来例（図６）を含めて、各種構成毎のピンチから洗濯物を離脱するために必要な荷重が記載されている。この記載によれば、図１に記載された発明においては、ピンチから洗濯物を離脱するために必要な荷重は８００ｇで、図２の（イ）、（ロ）、（ハ）、に記載された発明は、それぞれ８７５ｇ、７７５ｇ、１０７５ｇで、図６に記載された発明は２８５０ｇであるとされている。この離脱のために必要な荷重の違いは、引っ張り方向は基本的には同方向であることから主にピンチ部材後端部にかかる引っ張り力の方向の違いにより生じている。 
【００３２】
これらの構成毎の離脱荷重の違いからも分かるように、  挟持力解放に必要な力のポイントは、ピンチ部材後端部における、洗濯物を介した引っ張り方向に交差する方向（ピンチ部材後端部における後端部同士を結ぶ方向）の力の大きさが大きくなるほど離脱荷重は小さくなるものとなっている。  
【００３３】
洗濯物２を介した引っ張り力Ｆは、ピンチ部材の両端の吊り下げ部材にかかる引張力ｆとして分解され、さらに引っ張り方向の力のベクトルｆ２と、引っ張り方向に交差する方向の力のベクトルｆ１に分解されることを考慮すると、ハンガーに支持される力の反力の方向をできるだけ、ピンチ部材後端部における後端部同士を結ぶ方向に近づければ、その方向における力のベクトルｆ１が大きくなる（本願の図３（ａ）参照）。  
【００３４】
このことを考慮すると、本発明の構成では、被挟持物２を介した引っ張り力がかかる部分が、それぞれピンチ部材３後端付近となっていることで、ピンチ部材３を横方向に回動させた力を、ほぼそのまま挟持力の解放に用いることができるようになるため、前述の特許文献２の構成よりもさらに少ない力で被侠持物である被挟持物２を解放することができる。  
【００３５】
すなわち、被挟持物２を横方向に力Ｆで引っ張ると、中継保持材７は回動規制部１０により回動が制限されているため、回転連結部６を支点にしてピンチ部材３は引っ張られた方向に回動しようとする。しかし、ピンチ部材３の第２の挟持部材３ｂは可撓性規制部材８により回動が制限されているため、可撓性規制部材８の接続方向に引張力Ｆが加えられる。この引張力Ｆを分解するとは第２の挟持部材３ｂがバネ材１３のバネ力に抗して挟持部１１を開口するための力ｆ１と、このｆ１と直交する方向のｆ２に分解することができる。この時ｆ１とＦが略同じ方向のベクトルとなるため、ピンチ部材３を横方向に回動させた力を、ほぼそのまま挟持力の解放に用いることができる（本願の図３（ｂ）参照）。
これに対して、従来の構成では吊り下げ部材が長くなればなるほど、ピンチ部材３後端部における後端部同士を結ぶ方向の力の大きさが小さくなってしまう。本発明の構成では、中継保持材７の長さはピンチ部材３後端部における後端部同士を結ぶ方向の力の大きさに影響を与えない。  
【００３６】
また、本構成で回動側のピンチ部材３の回動方向の規制については、支持部材４としてのフレームに一体に形成された回動規制部１０との接触により達成している。この時、中継保持材７の支持部材４への規制状態が、中継保持材７のみに働きピンチ部材３が片持ち梁状となるように働くようにすることで、ピンチ部材３後端部に設けられている回動連結部６を支点とした前記第１の挟持部材側への回動運動を可能にしているとともに、ピンチユニット１単独での機構で済む構成となっている。  
【００３７】
次に、可撓性規制部材８の一端部の最適な取り付け位置（ピンチ横方向に回動させた力を、ほぼそのまま挟持力の解放に用いることができる位置）について図４及び図５に基づいて以下に説明する。
【００３８】
まず、記号の定義としては  以下の通りである。
（１）ｒ（ｒａ，ｒｂ，ｒｃ）は可撓性規制部材８の取り付け位置Ｐ（Ｐａ，Ｐｂ，Ｐｃ）としたときのピンチ部材３の摘まみ部端までの長さであり、ピンチ部材３を開口するときピンチ部材３の摘まみ部端Ｐｍ（Ｐｍ１，Ｐｍ２）はｒを半径とした円周上を回動する。
（２）ｄ１，ｄ２  はピンチ部材３の摘まみ部端Ｐｍ１がＰｍ２まで回動したときに生じるｒａの軌跡とｒｂ，ｒｃの軌跡の差分である。ピンチ部材３を開口させるためにピピンチ部材３の摘まみ部端が内側に移動する距離ｄはこの円周上の軌跡の差分ｄ１，ｄ２によって発生する。
（３）Ｆｍ１，Ｆｍ２はピンチ部材３開口のためＰａを支点として回動させるためにピンチ部材３の先端部を引く力である。ｄｍ１，ｄｍ２はその移動距離である。Ｗ２はこのときのピンチ部材３の先端を回動させる仕事量である。仕事量  Ｗ２＝Ｆｍ１・ｄｍ１またはＦｍ２・ｄｍ２となる。
（４）Ｗ１はピンチ部材３を距離Ｓ開口するための仕事量である。Ｆはその時に必要な力であり、Ｄは移動距離である。仕事量はＷ１＝Ｆ・Ｄとなる。  
【００３９】
次に、可撓性規制部材８の取り付け位置Ｐ（Ｐａ，Ｐｂ，Ｐｃ）の違いによる、ピンチ部材３開口に必要な移動距離ｄｍの違いについて説明する。
（１）ピンチ部材３開口のためピンチ部材３を回動させたとき、取り付け位置  Ｐａ  は回動による軌跡の差分が発生しないので、この位置への取り付けは不可である。Ｐａより下方の任意の位置  Ｐｂ，Ｐｃを取り付け位置としたときのみ差分ｄ１，ｄ２が発生し、ピンチ部材３の開口力が得られる。
（２）取り付け位置Ｐｂ，Ｐｃの違いにより差分は  ｄ１＜ｄ２となり、Ｐａ    から離れるほど差分は大きくなる。逆に近いほど差分は少なくなる。
【００４０】
次に、可撓性規制部材８の取り付け位置Ｐ（Ｐａ，Ｐｂ，Ｐｃ）の違いによる、ピンチ部材３開口に必要な力Ｆｍ（Ｆｍ１，Ｆｍ２）の違いについて説明する。
（１）ピンチ部材３を任意の間隔Ｓだけ開くための仕事量はＷ１でありＷ２と等しい。任意の間隔Ｓだけ開くために必要なこの仕事量は常に一定である  。
（２）ピンチ部材３を任意の間隔Ｓだけ開くための仕事量Ｗ１を得るための必要な移動量はＤであり一定であるから、Ｄを得るための差分ｄ１，ｄ２も同量必要であるので、必要なピンチ部材３回動角度は取り付け位置Ｐｂ＞Ｐｃとなり、移動距離はｄｍ１＞ｄｍ２となる。
（３）移動距離はｄｍ１＞ｄｍ２であり、ｄｍが異なっても必要な仕事量Ｗ２は一定なので、ピンチ部材３の開口力はＦｍ１＜Ｆｍ２となる。
【００４１】
つまり、取り付け位置がＰａに近いほど必要な力Ｆｍは弱くてよく、引っ張る距離ｄｍは長くなり、このｄｍを得るための必要回動角度も大きくなる。つまり可撓性規制部材８の取り付け位置による必要な力Ｆｍの違いはＰａ＜Ｐｃ＜Ｐｂの順となる。
すなわち、できるだけ少ない力  Ｆｍ  で作動する（開く）取り付位置Ｐｘは、設計仕様上必要なＳ（例えば５ｍｍ。洗濯物の最大想定厚さ）が得られる最小限の差分ｄが確保できる最もＰａに近い位置となる。この位置より遠ざかるほど必要な力Ｆｍは  増大し、楽に開ける効果は減退していく。
【００４２】
Ｐｂはピンチの開口を最大５ｍｍ（Ｓに該当）開口するために要する力Ｆｍ１  がほぼ最小となるよう設定し、可撓性規制部材８の取り付け位置（Ｐｂ，Ｐｃ）による解放力の違いを実測比較した。
【００４３】
その結果、図６に示すように取り付け位置ＰｂはＰｃより、約４０％程度少ない力で開口できることが実証された。従って、前記特許文献２でも弱い力で解放できたが、更に４０％程度弱い力で解放でき、本願発明のピンチユニット１の方がより優れている。
また、取り付け位置Ｐｂは、可撓性規制部材８の他端部を第２の挟持部材３ｂの透孔を通過して第１の挟持部材３ａに取り付けた状態（以下、透孔通しという。）としなくとも、Ｐｃの透孔通しよりも弱い力で解放でき、本願発明のピンチユニット１では透孔通しとする必要が無く、可撓性規制部材８を簡素化できる。また、製品化したとき透孔通しの場合、可撓性規制部材８が透孔で可動し、ある程度の期間使用しているうちに破損する可能性があったが、これが無くなる効果がある。
【００４４】
なお、薄い洗濯物ほど弱い力で解放できることが実証されている。これは薄い被挟持物ほど少ないピンチの開口で済むため開く力Ｆｍも小さくてすむ。これは従来技術では実現できていない優れた特長である。
【００４５】
このように本願発明おいては、可撓性規制部材８の一端部をフレーム（支持部材４）に取り付け、他端部を透孔通し状態にした場合よりも弱い力で解放できるため、本願発明では可撓性規制部材８の他端部を透孔通しとする必要が無く、可撓性規制部材８の取付態様を簡素化できる。
【００４６】
また、可撓性規制部材８の他端部が透孔通しの場合、可撓性規制部材８が透孔で可動し、ある程度の期間使用しているうちに破損する可能性があったが、これが無くなる効果がある。
【００４７】
［発明を実施するための異なる形態］
次に、図７ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図７ないし図９に示す本発明を実施するための第２の形態において、前記本発明を実施するための第１の形態と主に異なる点は、物干し具１４のフレームを支持部材４Ａとして用いるとともに、該支持部材４Ａに当接し突起状の回動規制部材１５を形成した中継保持材７Ａにした点で、このように構成したピンチユニット１Ａにしても、前記本発明を実施するための第１の形態と同様な作用効果が得られる。
【００４８】
なお、物干し具のフレームを支持部材とした場合、特許文献１、２に示したような洗濯物の吊り下げ方向と、洗濯物を介した引っ張り方向とがほぼ同方向となるような構成に比べ、一つの洗濯物に対して多数のピンチ部材を用いて吊り下げなければいけない程度の重量物を干す場合に、その重量物を吊り下げるために必要なピンチ部材の数を少なくすることができるため、従来よりも多くの洗濯物を干すことできるようになる。 
【００４９】
また、物干し具いっぱいに多数の洗濯物を干すような場合、これら多数の洗濯物を同時に引っ張ると、フレームへのピンチの取り付け位置の違いにより、ピンチ毎に洗濯物取り込み時における非挟持物の引っ張り方向が変わってくる。特許文献３に示した物干し具では、被挟持物を引っ張る角度は屈曲方向が規制されていないため、第１及び第２の吊り下げ部材の屈曲方向にばらつきが生じ、挟持物を開口させる力が十分に加わりづらい箇所があるのに比べ、本願構成によれば、ヒンジ等よって回動連結部の回動方向が可撓性記載部材の延在する方向と交差する方向への回動が規制されているため、洗濯物等の被挟持物を引っ張る角度にバラツキがあっても、可撓性規制部材８に開口させる力を十分加える事ができる。
【００５０】
図１０及び図１１に示す本発明を実施するための第３の形態において、前記本発明を実施するための第１の形態と主に異なる点は、回動規制部１０を形成した磁石１６を有する支持部材４Ｂを用い、該支持部材４Ｂにピンチ部材３を接続した点で、このように構成したピンチユニット１Ｂにしても、前記本発明を実施するための第１の形態と同様な作用効果が得られるともに、磁性体のフレームを有する物干し具や冷蔵庫等様々な磁性体の物品にピンチユニット１Ｂを着脱自在に取付けることができる。
【００５１】
なお、磁力を有する支持部材ではなく、粘着層を有した支持部材等、他の物品に取付けることができる支持部材としてもよい。
【００５２】
また、本実施の形態では、磁石を支持部材に取り付けたものについて説明したが、支持部材自体を磁石としてもよい。
【００５３】
図１２及び図１３に示す本発明を実施するための第４の形態において、前記本発明を実施するための第２の形態と主に異なる点は、物干し具１４のフレームに突起状の回動規制部材１５を形成したものを支持部材４Ｃとして用いた点で、このように構成したピンチユニット１Ｃにしても、前記本発明を実施するための第１の形態と同様な作用効果が得られる。
【産業上の利用可能性】
【００５４】
本発明はピンチユニットを製造する産業で利用される。
【符号の説明】
【００５５】
１、１Ａ、１Ｂ、１Ｃ：ピンチユニット、
２：被挟持物、                    ３：ピンチ部材、
３ａ：第１の挟持部材、            ３ｂ：第２の挟持部材、
４、４Ａ、４Ｂ、４Ｃ：支持部材、  ５：係合部、  
６：回動連結部、                  ７：中継保持材、
８：可撓性規制部材、              ９：被係合部、
１０、１０Ａ：回動規制部、        １１：挟持部、
１２：ヒンジ部、                  １３：バネ材、
１４：物干し具、                  １５：回動規制部材、
１６：磁石。
【図１】
0006523081.tif 000002
【図２】
0006523081.tif 000003
【図３】
0006523081.tif 000004
【図４】
0006523081.tif 000005
【図５】
0006523081.tif 000006
【図６】
0006523081.tif 000007
【図７】
0006523081.tif 000008
【図８】
0006523081.tif 000009
【図９】
0006523081.tif 000010
【図１０】
0006523081.tif 000011
【図１１】
0006523081.tif 000012
【図１２】
0006523081.tif 000013
【図１３】
0006523081.tif 000014